(57)【特許請求の範囲】
【請求項１】
第１の面に設けられた第１の画面部と、
前記第１の画面部が設けられた前記第１の面と相対する第２の面に設けられた第２の画面部と、
画像信号に基づく投影画像を構成する光を出射する投影部と、
前記投影部からの光のうち第１の投影領域の光を前記第１の画面部へと導き、前記第１の投影領域とは異なる第２の投影領域の光を前記第２の画面部に導く導光部とを有し、
前記導光部は、
前記第１の面と前記第２の面との間に設けられ、
前記第１の投影領域の光を反射する第１のミラー部と、
前記第２の投影領域の光を前記第２の画面部に向けて反射する第２のミラー部と、
前記第１のミラー部にて反射された前記光を前記第１の画面部に向けて反射する第３のミラー部とを有する、
ことを特徴とする表示装置。
【請求項２】
請求項１に記載の表示装置において、
前記第１の画面部は、前記第２の画面部より大きなサイズに形成され、
前記第１のミラー部および前記第２のミラー部は、前記第１の面に設けられ、
前記第３のミラー部は、前記第２の面に設けられる、
ことを特徴とする表示装置。
【請求項３】
請求項１または２に記載の表示装置において、
前記第１のミラー部と前記第２のミラー部は、共通のミラーにて構成されている、
ことを特徴とする表示装置。
【請求項４】
請求項１ないし３の何れか一項に記載の表示装置において、
前記第１のミラー部のミラー面と前記第２のミラー部のミラー面の両方または何れか一方は、入射された前記光を広角化させる曲面形状となっている、
ことを特徴とする表示装置。
【請求項５】
請求項１ないし４の何れか一項に記載の表示装置において、
前記投影部は、前記第１の投影領域と前記第２の投影領域において前記光を走査させる走査部を備える、
ことを特徴とする表示装置。
【請求項６】
請求項１から請求項５のいずれか１項に記載の表示装置を備えることを特徴とする携帯端末装置。
【請求項７】
請求項６に記載の携帯端末装置において、
前記導光部は、当該携帯端末装置の開閉状態に応じて、前記第１の投影領域の光および前記第２の投影領域の光の何れか一方の光を、前記第１の画面部および前記第２の画面部のうち前記一方の光に対応する画面部に導く、
ことを特徴とする携帯端末装置。
【発明の詳細な説明】
【技術分野】
【０００１】
本発明は、表示装置に関し、特に、相異する面にそれぞれ設けられた複数の表示画面に画像を表示する表示装置および該表示装置を備える携帯電話機などの携帯端末装置に関する。
【背景技術】
【０００２】
従来、二つ折りタイプの携帯電話機においてはメイン画面のほかにサブ画面が設けられている。サブ画面は携帯電話機を折り畳んだときの表示用として設けられており、通常は、メイン画面の裏側の面に設けられている（特許文献１）。
【０００３】
画面を表示するための表示装置としては、液晶パネルとバックライトとの組合せが一般的である。従来の携帯電話機では、それぞれの画面ごとに液晶パネルとバックライトが設けられていた。
【０００４】
これに対し、近年においては、構造等を簡素化すべく、それぞれの画面ごとに液晶パネルを配し、バックライトを２つの液晶パネルの光源として共用するようにした携帯電話機が知られている（特許文献２）。
【特許文献１】特開２００５−３３３５９１号公報
【特許文献２】特開２００５−２０９６１８号公報
【発明の開示】
【発明が解決しようとする課題】
【０００５】
しかしながら、後者の携帯電話機にあっても、画面ごとに液晶パネルが配されているため、液晶パネルを駆動制御するための回路がそれぞれに必要とされ、また、それぞれの液晶パネル用に制御プログラムが必要となる。このため、このような携帯電話機にあっては、構成の簡素化が十分に図れない惧れがあった。
【０００６】
本発明は、このような課題を解消するものであり、構成の簡素化を図ることで、小型・軽量化を可能とした表示装置および携帯端末装置を提供することを目的とする。
【課題を解決するための手段】
【０００７】
上記課題に鑑み本発明は、以下の特徴を有する。
【０００８】
請求項１の発明に係る表示装置は、第１の面に設けられた第１の画面部と、前記第１の画面部が設けられた前記第１の面と相対する第２の面に設けられた第２の画面部と、画像信号に基づく投影画像を構成する光を出射する投影部と、前記投影部からの光のうち第１の投影領域の光を前記第１の画面部へと導き、前記第１の投影領域とは異なる第２の投影領域の光を前記第２の画面部に導く導光部とを有し、前記導光部は、前記第１の面と前記第２の面との間に設けられ、前記第１の投影領域の光を反射する第１のミラー部と、前記第２の投影領域の光を前記第２の画面部に向けて反射する第２のミラー部と、前記第１のミラー部にて反射された前記光を前記第１の画面部に向けて反射する第３のミラー部とを有することを特徴とする。
【０００９】
請求項２の発明は、請求項１に記載の表示装置において、前記第１の画面部は、前記第２の画面部より大きなサイズに形成され、前記第１のミラー部および前記第２のミラー部は、前記第１の面に設けられ、前記第３のミラー部は、前記第２の面に設けられることを特徴とする。
【００１０】
請求項３の発明は、請求項１または２に記載の表示装置において、前記第１のミラー部と前記第２のミラー部は、共通のミラーにて構成されていることを特徴とする。
【００１１】
請求項４の発明は、請求項１ないし３の何れか一項に記載の表示装置において、前記第１のミラー部のミラー面と前記第２のミラー部のミラー面の両方または何れか一方は、入射された前記光を広角化させる曲面形状となっていることを特徴とする。
【００１２】
請求項５の発明は、請求項１ないし４の何れか一項に記載の表示装置において、前記投影部は、前記第１の投影領域と前記第２の投影領域において前記光を走査させる走査部を備えることを特徴とする。
【００１３】
請求項６の発明は、請求項１から請求項５のいずれか１項に記載の表示装置を備えることを特徴とする携帯端末装置である。
請求項７の発明は、請求項６に記載の携帯端末装置において、前記導光部は、当該携帯端末装置の開閉状態に応じて、前記第１の投影領域の光および前記第２の投影領域の光の何れか一方の光を、前記第１の画面部および前記第２の画面部のうち前記一方の光に対応する画面部に導くことを特徴とする。
【発明の効果】
【００１４】
本発明によれば、１つの投影部を用いて、相異する面に設けられた第１の画面部と第２の画面部とに適宜画像を表示させることができる。よって、独立駆動される２つの表示手段を個別に配する必要がなく、構成の簡素化とコストの低減を図ることができる。また、２つの表示手段を個別に駆動制御する必要がないため、制御回路を簡素化でき、かつ、制御処理の容易化を図ることができる。
【００１５】
なお、請求項３の発明によれば、第１のミラー部と第２のミラー部が共通のミラーにて構成されるため、部品点数の削減を図ることができる。また、請求項４の発明によれば、投影画像を構成する光が広角化されるので、第１の画面部や第２の画面部までの光路を短くでき、その結果、装置の小型化が可能となる。さらに、請求項４の発明によれば、投影部を小型化できるため、装置のさらなる小型化が可能となる。
【００１６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１７】
以下、本発明の実施形態につき図面を参照して説明する。本実施の形態は、携帯電話機に本発明の表示装置を適用したものである。
【００１８】
図１は携帯電話機の外観構成を示す図であり、同図（ａ）は、基部１に対して回動部２をほぼ鉛直に立てた状態を示す側面図、同図（ｂ）は同じ状態での背面図である。
【００１９】
携帯電話機は、基部１と回動部２を備える。基部１の正面側には、キー操作部１１が配されている。キー操作部１１は、各種モード（カメラ撮影モード、メール送受信モード、インターネットモード、プロジェクタ投影モード）への切替えキー、通話開始キー、通話終了キー、番号・文字入力キーなどの各種キーからなる。
【００２０】
回動部２の正面側にはメイン画面２１が配されており、回動部２の背面側にはサブ画面２２が配されている。図１（ｂ）に示すように、メイン画面２１はやや縦長の矩形状を有している。一方、サブ画面２２は、メイン画面２１よりも小さな画面であり、横長の矩形状を有している。回動部２の内部には、各種モードにおける各種の画像をメイン画面２１およびサブ画面２２に表示するための表示装置３が配されている。また、回動部２の内部にはカメラモジュール４が配されており、回動部２の背面側には、カメラモジュール４に被写体の像を取り込むためのレンズ窓２３が設けられている。
【００２１】
図２は、回動部２の内部構造の示す図である。上述のように、回動部２の内部には、表示装置３とカメラモジュール４が配されている。
【００２２】
表示装置３は、プロジェクタモジュール３１と、第１反射ミラー３２と、第２反射ミラー３３と、メインスクリーン３４と、サブスクリーン３５とを備えている。
【００２３】
プロジェクタモジュール３１は、図３に示すように、光源部３１０と、導光光学系３２０と、可動ミラー３３０とを備える。これら光源部３１０、導光光学系３２０、可動ミラー３３０は、ケース３４０内に配されている。
【００２４】
光源部３１０からは、赤色、緑色、青色の三色のレーザ光が出射される。このため、光源部３１０には、赤色レーザ部３１０ａと、緑色レーザ部３１０ｂと、青色レーザ部３１０ｃとが備えられている。赤色レーザ部３１０ａからは赤色のレーザ光（以下、「Ｒ光」という）が出射される。緑色レーザ部３１０ｂからは緑色のレーザ光（以下、「Ｇ光」という）が出射される。青色レーザ部３１０cからは青色のレーザ光（以下、「Ｂ光」という）が出射される。
【００２５】
導光光学系３２０は、反射ミラー３２０ａと、２つのダイクロイックミラー３２０ｂ、３２０ｃとで構成されている。ダイクロイックミラー３２０ｂは、Ｇ光を反射するとともに、Ｒ光を透過させる。ダイクロイックミラー３２０ｃは、Ｂ光を反射するとともに、Ｒ光およびＧ光を透過させる。
【００２６】
赤色レーザ部３１０ａから出射されたＲ光は、反射ミラー３２０ａで反射して約９０度折り曲げられ、２つのダイクロイックミラー３２０ｂ、３２０ｃを透過して可動ミラー３３０へ入射する。また、緑色レーザ部３１０ｂから出射されたＧ光は、ダイクロイックミラー３２０ｂで反射して約９０度折り曲げられ、ダイクロイックミラー３２０ｃを透過して可動ミラー３３０へ入射する。さらに、青色レーザ部３１０ｃから出射されたＢ光は、ダイクロイックミラー３２０ｃで反射して約９０度折り曲げられ、可動ミラー３３０へ入射する。
【００２７】
可動ミラー３３０は、ＭＥＭＳ（Micro Electro Mechanical Systems）で構成され、ミラー３３０ａと、アクチュエータ３３０ｂとを備える。アクチュエータ３３０ｂは、２軸型であり、電磁力や圧電素子、静電力などの駆動力によって、ミラー３３０ａを２次元方向に回動させる。
【００２８】
可動ミラー３３０のミラー３３０ａに入射したＲ光、Ｇ光、Ｂ光は、ミラー３３０ａの回動角度に応じた方向に反射される。ミラー３３０ａがアクチュエータ３３０ｂにより２次元方向に回動されることによって、Ｒ光、Ｇ光、Ｂ光が投影面上において２次元的に走査される。これにより、Ｒ光、Ｇ光、Ｂ光によって合成された映像が投影面に映し出される。
【００２９】
ケース３４０は、放熱性をよくするため金属材料からできている。ケース３４０には、可動ミラー３３０で反射されたレーザ光を放出するための投射口３４０ａが形成されている。
【００３０】
図２に戻り、プロジェクタモジュール３１は、回動部２内部における背面側の下部に配されている。プロジェクタモジュール３１の投射口３４０ａから放出されたレーザ光（Ｒ光、Ｇ光、Ｂ光）は回動部２の正面側へ向かう。
【００３１】
第１反射ミラー３２は、プロジェクタモジュール３１に対向するように、回動部２内部における正面側の下部に配されている。第１反射ミラー３２の反射面は、凸面であって非球面形状を有し、下側のメイン反射領域３２Ｍと上側のサブ反射領域３２Ｓとを備えている。
【００３２】
プロジェクタモジュール３１からのレーザ光は、可動ミラー３３０によって走査される際、メイン反射領域３２Ｍおよびサブ反射領域３２Ｓに入射する。そして、メイン反射領域３２Ｍで反射したレーザ光は第２反射ミラー３３へ向かい、サブ反射領域３２Ｓで反射したレーザ光はサブスクリーン３５へ向かう。なお、レーザ光は、第１反射ミラー３２によって反射と同時に広角化（振り角が拡大）される。
【００３３】
第２反射ミラー３３は、回動部２内部における背面側であってプロジェクタモジュール３１の上方に配されている。第２反射ミラー３３の反射面は平坦な形状を有している。第２反射ミラー３３には、第１反射ミラー３２のメイン反射領域３２Ｍで反射したレーザ光のみが入射する。第２反射ミラー３３で反射したレーザ光はメインスクリーン３４へ向かう。
【００３４】
メインスクリーン３４は、リアプロジェクション用のスクリーン（透過性のスクリーン）であり、回動部２の正面側に形成されたメイン表示窓２１ａの内側に配されている。メインスクリーン３４は、メイン表示窓２１ａとともにメイン画面２１を構成している。第２反射ミラー３３で反射したレーザ光は、メインスクリーン３４の裏面に照射される。
【００３５】
こうして、第１反射ミラー３２のメイン反射領域３２Ｍで反射したレーザ光は、第２反射ミラー３３を経由しメインスクリーン３４の裏面上を走査される。この走査によってメインスクリーン３４の裏面上に投影された画像は、メインスクリーン３４内部を透過してメインスクリーン３４の表面側に映し出される。
【００３６】
サブスクリーン３５は、リアプロジェクション用のスクリーン（透過性のスクリーン）であり、回動部２の背面側に形成されたサブ表示窓２２ａの内側であって、第２反射ミラー３３の直上に配されている。サブスクリーン３５は、サブ表示窓２２ａとともにサブ画面２２を構成している。第１反射ミラー３２のサブ反射領域３２Ｓで反射したレーザ光は、第２反射ミラー３３に入射することなく、サブスクリーン３４の裏面に照射される。
【００３７】
こうして、第１反射ミラー３２のサブ反射領域３２Ｓで反射したレーザ光は、サブスクリーン３５の裏面上を走査される。この走査によってサブスクリーン３５の裏面上に投影された画像は、サブスクリーン３５内部を透過してサブスクリーン３５の表面側に映し出される。
【００３８】
なお、第１反射ミラー３２において、メイン反射領域３２Ｍの形状は、プロジェクタモジュール３１からメイン反射領域３２Ｍに投影される画像が、メインスクリーン３４上で適正な大きさに拡大投影されるような面形状となっている。また、サブ反射領域３２Ｓの形状は、プロジェクタモジュール３１からサブ反射領域３２Ｓに投影される画像が、サブスクリーン３５上で適正な大きさに拡大投影されるような面形状となっている。
【００３９】
図４は、携帯電話機の全体構成を示す機能ブロック図である。携帯電話機は、上述したキー操作部１１、プロジェクタモジュール３１およびカメラモジュール４の他、ＣＰＵ１００、マイク２００、スピーカ３００、通信処理部４００、メモリ５００、バッテリー６００、電源部７００を備える。
【００４０】
カメラモジュール４は、撮像レンズ４１、撮像素子４２などから構成されている。
撮像レンズ４１は、被写体の像を撮像素子４２上に結像させる。撮像素子４２は、例えばＣＣＤからなり、取り込んだ画像に応じた撮像信号を生成し、ＣＰＵ１００へ送る。
【００４１】
マイク２００は、音声信号を電気信号に変換してＣＰＵ１００へ送る。スピーカ３００は、ＣＰＵ１００からの音声信号を音声として再生する。
【００４２】
通信制御部４００は、ＣＰＵ１００からの音声信号や画像信号、テキスト信号などを無線信号に変換し、アンテナ４１０を介して基地局へ送信するとともに、アンテナ４１０を介して受信した無線信号を音声信号や画像信号、テキスト信号などに変換してＣＰＵ１００へ送る。
【００４３】
メモリ５００には、カメラモジュール４で撮影した画像データや通信処理部４００を介して外部から取り込んだ画像データ、テキストデータ（メールデータ）などが所定のファイル形式で保存される。
【００４４】
バッテリー６００は、ＣＰＵ１００やＣＰＵ１００以外の携帯電話機の各構成部へ電力を供給するためのものであり、二次電池からなる。バッテリー６００は、電源部７００に接続されている。
【００４５】
電源部７００は、バッテリー６００の電圧を前記各構成部に必要な大きさの電圧に変換して各構成部に供給する。また、電源部７００は、外部電源の入力部（図示せず）を介して供給された電力をバッテリー６００に供給して、バッテリー６００を充電する。
【００４６】
電源部７００には、バッテリー電圧検出部７１０（以下、「ＢＴ検出部」という）
が設けられている。ＢＴ検出部７１０は、バッテリー６００の電圧を検出して、ＣＰＵ１００へ送る。
【００４７】
ＣＰＵ１００は、キー操作部１１、マイク２００、撮像素子４２など各部からの入力信号に基づいて、スピーカ３００、プロジェクタモジュール３１などの各部に制御信号を出力することにより、通話処理や各種モードの処理を行う。
【００４８】
図５は、携帯電話機における、プロジェクタモジュール３１の駆動に係る構成を示す機能ブロック図である。なお、同図では、上述した図４の構成において、プロジェクタモジュール３１の駆動制御に係わらない部分を省略している。
【００４９】
携帯電話機は、さらに、アクチュエータ駆動部８００およびレーザ駆動部９００を備える。また、ＣＰＵ１００は、アクチュエータ制御部１１０、映像信号処理部１２０、タイミング制御部１３０を含む。
【００５０】
アクチュエータ制御部１１０は、可動ミラー３３０のアクチュエータ３３０ｂの駆動制御を行うものであり、アクチュエータ駆動部８００に対して所定の駆動タイミングで制御信号を出力する。アクチュエータ駆動部８００は、この制御信号に従ってアクチュエータ３３０ｂに駆動信号を出力する。
【００５１】
映像信号処理部１２０は、光源部３１０の駆動制御を行うものである。映像信号処理部１２０は、ＣＰＵ１００内に用意された作業エリアとなるメモリ（図示せず）内で、メイン画面２１およびサブ画面２２に表示する画像を生成し、生成した画像を表示させるためのＲＧＢ信号を所定の駆動タイミングでレーザ駆動部９００に出力する。また、映像信号処理部１２０は、撮像素子４２から送られてきた画像データ、メモリ５００内に保存された画像データ、通信処理部４００を介して受信した画像データなどを取り込む。そして、取り込んだ画像データからＲＧＢ信号を生成し、生成したＲＧＢ信号を所定の駆動タイミングでレーザ駆動部９００に出力する。レーザ駆動部９００は、このＲＧＢ信号に従って、光源部３１０の赤色レーザ部３１０ａ、緑色レーザ部３１０ｂ、青色レーザ部３１０ｃの各々に駆動信号を出力する。
【００５２】
タイミング制御部１３０は、アクチュエータ制御部１１０によるアクチュエータ３３０ｂの駆動タイミングと映像信号処理部１２０による光源部３１０の駆動タイミングを調整する。
【００５３】
図６は、プロジェクタモジュール３１による投影画面と投影画面に照射される各レーザ光の出力状態について説明するための図である。図６（ａ）は、投影画面を作り出すときのレーザ光の走査状態を示す図である。図６（ｂ）は、各画素領域における各レーザ光の出力状態を示す図である。なお、同図（ｂ）の縦軸は、レーザ光の諧調（レーザ出力の大きさ）を表しており、横軸は、レーザ光の照射時間を表している。
【００５４】
同図（ａ）に示すように、アクチュエータ３３０ｂによってミラー３３０ａが回動されることにより、レーザ光（Ｒ光、Ｇ光、Ｂ光）が水平方向に走査される。レーザ光は、同図の実線矢印（走査ライン）が示すように、水平方向の画素数分だけ走査される。１つの走査ラインの走査が終わると、次の走査ラインの始点にレーザ光が来るよう、ミラー３３０ａが回動される。そして、上記同様、レーザ光が水平方向に走査され、さらに、次の走査ラインの始点にレーザ光の照射位置が来るよう、ミラー３３０ａが回動される。走査ラインは、鉛直方向の画素分だけ存在する。一番下の走査ラインでの走査が終了すると、一番上の走査ラインの始点にレーザ光が来るよう、ミラー３３０ａが回動される。こうして、１画面における１回の走査が完了し、投映中、このような走査が繰り返される。
【００５５】
図６（ｂ）に示すように、１画素の領域ごとに、所定の諧調となるようにレーザ出力が調整された各レーザ光が所定の照射時間ｔ１だけ照射される。このとき、１画素領域の色は各レーザ光の諧調によって決まる。各レーザ光の諧調はレーザ出力の大きさによって調整される。本実施の形態では２５６階調とされている。また、１画素領域の明るさ（輝度）は、画素領域に当るレーザ光の総光量、すなわちレーザ光の照射時間によって調整される。照射される光の強さが同じであっても、照射時間が長くなるほど（総光量が多くなるほど）、観る者の目には明るく見える。
【００５６】
このように、３色のレーザ光が、１画素領域ごとに階調が切替えられつつ投影面上を走査されることによって、投影画面に所定の映像（静止画や動画）が映し出される。なお、各レーザ光は、同時に走査されるのではなく、例えば、Ｒ光、Ｇ光、Ｂ光が１画面ずつ順に走査される。このように、各レーザ光が順次走査されても、１回の走査は非常に短時間であるため、観る者には、残像現象によって３色が合成され１つのカラー映像として見える。勿論、Ｒ光、Ｇ光およびＢ光が同時に出射され、導光光学系３２０で合成された後に可能ミラー３３０に入射される構成であってもよい。
【００５７】
なお、表示装置３においては、メインスクリーン３４およびサブスクリーン３５が図６（ａ）で説明した投影画面となる。
【００５８】
図７は、アクチュエータ駆動タイミングとレーザ駆動タイミングを模式的に示す図である。同図に示すように、アクチュエータ４３ｂの駆動のためのタイミングパルスＰ１が一定周期で出力される。これらタイミングパルスＰ１に同期して、アクチュエータ３３０ｂへの駆動信号が出力される。また、タイミングパルスＰ１に同期した各レーザ部３１０ａ、３１０ｂ、３１０ｃの駆動のためのタイミングパルスＰ２が、１画素領域に対応する周期で、水平方向の画素数分だけ出力される。これらタイミングパルスＰ２に同期して、各レーザ部３１０ａ、３１０ｂ、３１０ｃへの駆動信号が出力される。こうして、アクチュエータ４３ｂの動作と各レーザ部３１０ａ、３１０ｂ、３１０ｃの動作が同期するので、各画素領域で適正にレーザ光が照射される。
【００５９】
なお、同図では、アクチュエータ３３０ｂの駆動信号が、模式的に単純なランプ（ｒｕｍｐ）信号として表されているが、実際は、レーザ光を水平方向に走査するためにミラー３３０ａを２次元的に駆動するような形態の駆動信号となる。
【００６０】
図８は、プロジェクタモジュール３１によって作り出される投影画像の表示例と、メイン画面２１およびサブ画面２２での画面表示の表示例を示す図である。同図（ａ）は、プロジェクタモジュール３１によって作り出される投影画像を示す。同図（ｂ）は、サブ画面２２での画面表示を示し、同図（ｃ）は、メイン画面２１での画面表示を示す。
【００６１】
同図（ａ）に示すように、プロジェクタモジュール３１による投影画像の領域は、下部のメイン画像領域と、上部のサブ画像領域とに区画されている。メイン画像領域にはメイン画面２１に表示するためのメイン画像が描画される。一方、サブ画像領域にはサブ画面２２に表示するためのサブ画像が描画される。このようなメイン画像とサブ画像が一体となった投影画像を投影するための画像信号は、映像信号処理部１２０によって生成される。
【００６２】
メイン画像は、例えば、背景画像Ｍ１と、背景画像Ｍ１の中央部に配された各種モードを選択するための画像Ｍ２と、背景画像Ｍ１の上部に配された、アンテナの受信状態を示す画像Ｍ３、メールが受信されたことを示す画像Ｍ４、電池の残量を示す画像Ｍ５の３つの画像と、背景画像Ｍ１の下部に配された日付を表示する画像Ｍ６とで構成されている。
【００６３】
サブ画像は、例えば、背景画像Ｓ１と、背景画像Ｓ１の上部に配された、アンテナの受信状態を示す画像Ｓ２、メールが受信されたことを示す画像Ｓ３、電池の残量を示す画像Ｓ４の３つの画像と、背景画像Ｓ１の下部に配された日付を表示する画像Ｓ５とで構成されている。
【００６４】
メイン画像およびサブ画像が投影される際には、可動ミラー３３０および光源部３１０が駆動される。これにより、まず、サブ画像領域内でレーザ光が走査されてサブ画像が投影され、それに続き、メイン画像領域内でレーザ光が走査されてメイン画像が投影される。
【００６５】
このとき、サブ画面領域内で走査されるレーザ光は、第１反射ミラー３２のサブ反射領域３２Ｓに入射するよう構成されている。このため、サブ画面領域内を走査するレーザ光は、第１反射ミラー３２のサブ反射領域３２Ｓで反射され、サブスクリーン３５に照射される。これによって、図８（ｂ）に示すように、サブ画面２２にサブ画像が表示される。なお、この画面は基本的な情報を報知するためにサブ画面２２に標準的に表示される標準画面である。
【００６６】
一方、メイン画面領域内で走査されるレーザ光は、第１反射ミラー３２のメイン反射領域３２Ｍに入射するよう構成されている。このため、メイン画面領域を走査するレーザ光は、第１反射ミラー３２のメイン反射領域３２Ｍで反射され、第２の反射ミラー３３を経由してメインスクリーン３４に照射される。これによって、図８（ｃ）に示すように、メイン画面２１にメイン画像が表示される。なお、この画面は各種モードを選択するときに表示されるモード選択画面である。
【００６７】
このように、プロジェクタモジュール３１からサブ画像とメイン画像とを含む１つの投影画像が投影されることにより、メイン画面２１とサブ画面２２とに同時に画像が表示される。
【００６８】
ところで、上記モード選択画面と標準画面は、必ずしも同時に表示される必要がない。従って、例えば、携帯電話機が折り畳まれているときには、メイン画面２１のモード選択画面が表示されずにサブ画面２２の標準画面が表示され、携帯電話機が開かれているときには、サブ画面２２の標準画面が表示されずにメイン画面２１のモード選択画面が表示される構成であってもよい。この場合、映像信号処理部１２０によって、メイン画像の画像信号とサブ画像の画像信号とが別個に生成される。そして、サブ画面２２のみ表示するときには、レーザ光がサブ画像領域内だけを走査され、メイン画面２１のみを表示するときには、レーザ光がメイン画像領域内だけを走査される。
【００６９】
このとき、可動ミラー３３０は常に全画像領域を走査するように駆動され、投影する画像領域内においてのみ光源部３１０が駆動される構成としてもよい。このようにすれば、可動ミラー３３０の駆動制御を変更しなくてよいので、制御が易しくなる。
【００７０】
一方、投影する画像領域内だけを走査するように可動ミラー３３０が駆動される構成としてもよい。このようにすれば、１つの画面分を走査するための所要時間が短くなるので、次に同じ画素領域にレーザ光が照射されるまでの時間が短くなり、その分、画面を同じ明るさにするときに、１画素領域の１回あたりの照射光量を少なくできる。従って、１画素領域に照射される光量が少なくなるように、たとえば、図６に示す照射時間ｔ１が短くなるように光源部３１０を駆動するようにすれば、消費電力の削減が図れる。
【００７１】
なお、前者のようにメイン画面２１とサブ画面２２とに同時に表示するモードと後者のようにメイン画面２１とサブ画面２２を切替えて表示するモードとを、使用者の選択操作によって切替えられる構成としてもよい。
【００７２】
上記の表示例では、メイン画面２１とサブ画面２２との同時表示が必ずしも必要ではなかったが、メイン画面２１とサブ画面２２とが同時に表示されることが必要とされる表示形態として、例えば、以下のようなものも考えられる。
【００７３】
すなわち、カメラ撮影モードにおいて写真撮影を行う場合に、メイン画面２１には撮像素子４２が捕らえた被写体像が表示され、このとき同時に、サブ画面２２には「撮影中」の文字など、カメラ撮影中であることを報知する情報が表示される構成が考えられる。このような構成とすれば、サブ画面２２での表示によって撮影中であることが知らされるので、盗撮の防止を図ることができる。
【００７４】
また、メイン画面２１には撮像素子４２が捕らえた被写体像が表示され、このとき同時に、メイン画面２１とサブ画面２２とに「３、２、１」などのカウントダウン表示が行われる構成が考えられる。このような構成とすれば、シャッターを押すタイミングが取りやすくなるので、撮影が容易になる。
【００７５】
以上、本実施の形態によれば、１つのプロジェクタモジュール３１を用いて、相異する面に設けられたメイン画面２１とサブ画面２２とに画像を表示させることができるので、構成の簡素化を図ることができる。従って、回動部２の小型・軽量化が図れ、ひいては携帯電話機の小型・軽量化が可能となる。
【００７６】
しかも、１つのプロジェクタモジュール３１のみによってメイン画面２１とサブ画面２２とに同時に表示させることができるので、上述の盗撮防止やカウントダウン表示などが可能となり、携帯電話機の使用形態の幅を広げることができる。
【００７７】
また、本実施の形態では、第１反射ミラー３２によって、プロジェクタモジュール３１からのレーザ光が広角化されるので、メインスクリーン３４およびサブスクリーン３５までの光路を短くできる。これにより、回動部２の小型・軽量化が図れる。
【００７８】
なお、上記では、メインスクリーン３４に導かれるレーザ光とサブスクリーン３５に導かれるレーザ光の両方を第１反射ミラー３２にて広角化（振り角を拡大）するようにしたが、たとえば、画面サイズが大きいメインスクリーン３４の方に導かれるレーザ光のみを広角化しても良い。
【００７９】
さらに、本実施の形態では、映像信号処理部１２０によってメイン画像領域内に描画されるメイン画像の画像信号とサブ画像領域内に描画されるサブ画像の画像信号とが生成される。そして、メイン画像を構成するためのレーザ光が第２反射ミラー３３で反射してメインスクリーン３４に照射されることによってメインスクリーン３４にメイン画像が映し出され、サブ画像を構成するためのレーザ光が第２反射ミラー３３に入射されずにサブスクリーン３５に照射されることによってサブスクリーン３５にサブ画像が映し出される。このような構成により、メイン画面２１およびサブ画面３３に、それぞれの画面に応じた画像を表示することができる。
【００８０】
以上、本発明の実施形態について説明したが、本発明はこれに限定されるものではなく、また、本発明の実施形態も、上記以外に種々の変更が可能である。
【００８１】
たとえば、相異する面は、正面と背面のように互いに逆向きとなる面でなくてもよい。また、相異する面に設けられる表示画面は、メイン（主）とサブ（副）との区別がある画面（サイズなどが異なる画面）でなくてもよい。さらに、表示画面は、２箇所に限られず、３箇所以上に配されていてもよい。
【００８２】
さらに、走査式のプロジェクタモジュール３１に限られず、他の方式の投影装置であってもよい。
【００８３】
この他、本発明の実施の形態は、特許請求の範囲に示された技術的思想の範囲内において、適宜、種々の変更が可能である。
【図面の簡単な説明】
【００８４】
【図１】実施の形態に係る携帯電話機の外観構成を示す図
【図２】実施の形態に係る表示部の内部構造を示す図
【図３】実施の形態に係るプロジェクタモジュールの構成を示す図
【図４】実施の形態に係る携帯電話機の全体構成を示す機能ブロック図
【図５】実施の形態に係る携帯電話機における、プロジェクタモジュールの駆動に係る構成を示す機能ブロック図
【図６】実施の形態に係るプロジェクタモジュールによる投影画面と投影画面に照射される各レーザ光の出力状態について説明するための図
【図７】実施の形態に係るアクチュエータ駆動タイミングとレーザ駆動タイミングを模式的に示す図
【図８】実施の形態に係るプロジェクタモジュールによって作り出される投影画像の表示例と、メイン画面およびサブ画面での画面表示の表示例を示す図
【符号の説明】
【００８５】
２１    メイン画面（第１の画面部）
２２    サブ画面（第２の画面部）
３      表示装置
３１    プロジェクタモジュール（投影部）
３２    第１反射ミラー（ミラー）
３２Ｍ  メイン反射領域（第１のミラー部）
３２Ｓ  サブ反射領域（第２のミラー部）
３３    第２反射ミラー（第３のミラー部）
３４    メインスクリーン（第１の画面部）
３５    サブスクリーン（第２の画面部）
【図１】
0005122257.tif 000002
【図２】
0005122257.tif 000003
【図３】
0005122257.tif 000004
【図４】
0005122257.tif 000005
【図５】
0005122257.tif 000006
【図６】
0005122257.tif 000007
【図７】
0005122257.tif 000008
【図８】
0005122257.tif 000009